(57)【要約】本発明は、男性用機能性パンツに関するものであって、臀部側に位置する後面生地１０の左右側それぞれに縫裁される左・右側前面生地２０、３０と、左・右側前面生地２０、３０間と後面生地１０の下端１０ａ間で第１縫裁ラインＬ１によって縫裁されるベース生地４０と、下端１０ａを基準としてベース生地４０の１／２〜１／３地点の下部側で第１縫裁ラインＬ１に縫裁されたものであって前方側にふくらんでいる陰嚢位置固定部５０、ベース生地４０の１／２〜１／３地点の上部側で第１縫裁ラインＬ１に縫裁されたものであって前方側にふくらんでいる陰茎位置固定部６０、及びベース生地４０から分離したものであって陰嚢位置固定部５０と陰茎位置固定部６０の間の境界端Ｃに縫裁される境界弾性バンド７０を含むことを特徴とする。
2015531031.tif 000002
【特許請求の範囲】
【請求項１】
臀部側に位置する後面生地（１０）の左右側それぞれに縫裁される左・右側前面生地（２０）（３０）、
前記左・右側前面生地（２０）（３０）間と前記後面生地（１０）の下端（１０ａ）間で第１縫裁ライン（Ｌ１）によって縫裁されるベース生地（４０）、
前記下端（１０ａ）を基準として前記ベース生地（４０）の１／２〜１／３地点の下部側で前記第１縫裁ライン（Ｌ１）に縫裁されたものであって前方側にふくらんでいる陰嚢位置固定部（５０）、
前記ベース生地（４０）の１／２〜１／３地点の上部側で前記第１縫裁ライン（Ｌ１）に縫裁されたものであって前方側にふくらんでいる陰茎位置固定部（６０）、及び
前記ベース生地（４０）から分離したものであって前記陰嚢位置固定部（５０）と陰茎位置固定部（６０）との間の境界端（Ｃ）に縫裁される境界弾性バンド（７０）を含むことを特徴とする男性用機能性パンツ。
【請求項２】
前記弾性バンド（７０）から２０ｍｍ内側の陰茎位置固定部（６０）の中心を前記ベース生地（４０）にポイント縫裁するポイント縫裁端（８０）をさらに含むことを特徴とする、請求項１に記載の男性用機能性パンツ。
【請求項３】
前記ベース生地（４０）の弾性は、前記陰嚢位置固定部（５０）及び陰茎位置固定部（６０）をなす生地の弾性より大きいことを特徴とする請求項１に記載の男性用機能性パンツ。
【請求項４】
前記後面生地（１０）は、水分や汗を吸収すると繊維全体の一部分が前記臀部の皮膚から分離する水分感応型繊維からなることを特徴とする、請求項１に記載の男性用機能性パンツ。
【請求項５】
前記ベース生地（４０）は、綿からなるフィラメント糸が冷感組成物に浸染された後、乾燥されてなった冷感フィラメントが製織されて具現された冷感繊維であることを特徴とする、請求項１に記載の男性用機能性パンツ。
【請求項６】
前記冷感組成物は、
キシリトール５０ないし６０重量部と、エリトリトール１０〜３０重量部と、ペパーミントオイル３０ないし４０重量部と、モノグリセリド４０〜５０重量部と、有機バインダー３０ないし１００重量部を混合して具現されたことを特徴とする、請求項５に記載の男性用機能性パンツ。
【請求項７】
前記陰嚢位置固定部（５０）の両側の対向する位置それぞれに磁石（５１）が内蔵される一対の磁石内蔵部（５２）が形成され、
前記磁石内蔵部（５２）は、前記磁石（５１）より直径が小さな入口（５２ａ）と、前記入口（５２ａ）より大きい直径を有することにより前記磁石（５１）が内蔵される収納部（５２ｂ）を含むことを特徴とする、請求項１に記載の男性用機能性パンツ。
【発明の詳細な説明】
【技術分野】
【０００１】
本発明は、男性用機能性パンツに関する。さらに詳しくは、着用時に陰茎と陰嚢を分離して快適さを増進させることができる男性用機能性パンツに関する。
【背景技術】
【０００２】
一般的にパンツは、四角形のトランクス型または三角形等の多様な形からなり、綿または麻、羊毛、絹及び化学繊維であるナイロン等の材質からなっている。
【０００３】
一方、男性の性器は陰茎と陰嚢からなっているが、陰嚢は体温より１℃−３℃程度低い３３．５℃−３５．５℃程度で精子の生成機能及び男性の性機能が活発である。このような陰嚢は、人体の構造上、両足の間である股間の皮膚及び陰茎と接触した状態で体温に耐えなければならないため、陰嚢自ら自律的な熱発散によって温度調節機能を行い、温度調節をさらに効果的に行うために陰嚢の表皮には温度発散を可能にする多くのしわが形成されている。
【０００４】
しかし、陰嚢の温度調節機能も衣服を着用することによって限界があり、特に外観と生活の便利さを重視しながら身体にぴったり合う衣服の着用がますます増えるに伴い、陰嚢と陰茎の間、または陰嚢と股間で汗が出て暑くて湿る状態になった。
【０００５】
このような問題を解決するため、ほとんどのパンツは汗の吸収がよい材質で作ったり、通気性が強調された材質で作っている。特に、韓国登録実用新案２０−０２９３８６２には、パンツの前身ごろ内側面に天然繊維である麻布を付着させたパンツが開示されており、このようなパンツの場合、通気性が強調され、陰嚢から出る汗を吸収して陰嚢湿疹を予防するだけでなく、爽快さを提供する。このようなパンツは現在発売開始されて販売されている。
【０００６】
しかし前記のようにパンツに通気性を強化しても、根本的には陰嚢が陰茎及び股と接触した状態で汗が出て湿った状態を完全に回避することはできなかった。
【発明の概要】
【技術的課題】
【０００７】
本発明は前記のような問題点を解決するために創出されたもので、陰嚢を陰茎と股間の皮膚と完全に分離させることにより、陰嚢の温度調節機能を極大化させ、湿りを防止して快適さを増進させることができる男性用機能性パンツを提供することを目的とする。
【０００８】
本発明の他の目的は、陰嚢及び陰茎に冷感を付与することにより、生殖機能を増進させることができる男性用機能性パンツを提供することである。
【課題を解決するための手段】
【０００９】
前記のような目的を達成するために、本発明による男性用機能性パンツは、臀部側に位置する後面生地１０の左右側それぞれに縫裁される左・右側前面生地２０、３０、前記左・右側の前面生地２０、３０間と前記後面生地１０の下端１０ａ間で第１縫裁ラインＬ１によって縫裁されるベース生地４０、前記下端１０ａを基準として前記ベース生地４０の１／２〜１／３地点の下部側で前記第１縫裁ラインＬ１に縫裁されたものであって前方側にふくらんでいる陰嚢位置固定部５０、前記ベース生地４０の１／２〜１／３地点の上部側で前記第１縫裁ラインＬ１に縫裁されたものであって前方側にふくらんでいる陰茎位置固定部６０、及び前記ベース生地４０から分離したものであって前記陰嚢位置固定部５０と陰茎位置固定部６０との間の境界端Ｃに縫裁される境界弾性バンド７０を含むことを特徴とする。
【００１０】
本発明において、前記弾性バンド７０から２０ｍｍ内側の陰茎位置固定部６０の中心を前記ベース生地４０にポイント縫裁するポイント縫裁端８０をさらに含む。
【００１１】
本発明において、前記ベース生地４０の弾性は、前記陰嚢位置固定部５０及び陰茎位置固定部６０をなす生地の弾性より大きい。
【００１２】
本発明において、前記後面生地１０は、水分や汗を吸収すると繊維全体の一部分が前記臀部の皮膚から分離する水分感応型繊維からなる。
【００１３】
本発明において、前記ベース生地４０は、綿からなるフィラメント糸が冷感組成物に浸染された後、乾燥してなった冷感フィラメントが製織されて具現された冷感繊維である。この際、前記冷感組成物は、キシリトール５０ないし６０重量部と、エリトリトール１０〜３０重量部と、ペパーミントオイル３０ないし４０重量部と、モノグリセリド４０〜５０重量部と、有機バインダー３０ないし１００重量部を混合して具現される。
【００１４】
本発明において、前記陰嚢位置固定部５０の両側の対向する位置それぞれに磁石５１が内蔵される一対の磁石内蔵部５２が形成され、前記磁石内蔵部５２は、前記磁石５１より直径が小さな入口５２ａと、前記入口５２ａより大きい直径を有することにより前記磁石５１が内蔵される収納部５２ｂを含む。
【発明の効果】
【００１５】
本発明によれば、着用時に陰嚢を陰茎と股間の皮膚と完全に分離させることにより、陰嚢の温度調節機能を極大化させ、湿りを防止して快適さを増進させることができる。
【００１６】
また臀部部分に汗が出た場合、臀部の皮膚から分離して快適さをさらに増進させる。
【００１７】
そして、陰嚢及び陰茎に冷感を付与することにより、快適さはもちろん生殖機能を増進させることができるという作用、効果がある。
【図面の簡単な説明】
【００１８】
【図１】本発明による男性用機能性パンツの分解斜視図である。
【図２】図１の男性用機能性パンツの斜視図である。
【図３】図２の男性用機能性パンツの正面図である。
【図４】図２及び図３の陰嚢位置固定部に設置される磁石内蔵部を抜粋して示した図である。
【図５】図１の後面生地をなす水分感応型繊維の動作を説明するための図である。
【図６】図２のＶＩ−ＶＩ線に沿った断面図で、陰嚢位置固定部及び陰茎位置固定部の境界面に縫裁される境界弾性バンドがベース生地から分離していることを説明するための図である。
【図７】図２の男性用機能性パンツを着用したときの陰嚢と陰茎の位置を説明するための図である。
【発明の実施のための最善の形態】
【００１９】
以下、本発明による男性用機能性パンツを、添付の図面を参照して説明する。
【００２０】
図１は本発明による男性用機能性パンツの分解斜視図、図２は図１の男性用機能性パンツの斜視図、図３は図２の男性用機能性パンツの正面図、図４は図２及び図３の陰嚢位置固定部に設置される磁石内蔵部を抜粋して示した図である。また、図５は図１の後面生地をなす水分感応型繊維の動作を説明するための図、図６は図２のＶＩ−ＶＩ’線に沿った断面図で、陰嚢位置固定部及び陰茎位置固定部の境界面に縫裁される境界弾性バンドがベース生地から分離したことを説明するための図である。そして、図７は図２の男性用機能性パンツを着用した時の陰嚢と陰茎の位置を説明するための図である。
【００２１】
図示されたように、本発明による男性用機能性パンツは、臀部側に位置する後面生地１０の左右側それぞれに縫裁される左・右側前面生地２０、３０と、前記左・右側の前面生地２０、３０間と前記後面生地１０の下端１０ａ間で第１縫裁ラインＬ１によって縫裁されるベース生地４０と、前記下端１０ａを基準として前記ベース生地４０の１／２〜１／３地点の下部側で前記第１縫裁ラインＬ１に縫裁されたものであって前方側にふくらんでいる陰嚢位置固定部５０と、前記ベース生地４０の１／２〜１／３地点の上部側で前記第１縫裁ラインＬ１に縫裁されたものであって前方側にふくらんでいる陰茎位置固定部６０と、前記ベース生地４０から分離したものであって前記陰嚢位置固定部５０と陰茎位置固定部６０との間の境界端Ｃに縫裁される境界弾性バンド７０と、境界の弾性バンド７０から２０ｍｍ内側の陰茎位置固定部６０の中心をベース生地４０にポイント縫裁するポイント縫裁端８０と、後面生地１０、左・右側前面生地２０、３０、ベース生地４０及び陰茎位置固定部６０の上端を回って縫裁される腰弾性バンド９０を含む。
【００２２】
後面生地１０は、使用者の臀部が密着する部分であるので、椅子に座って業務を進行する際、汗を吸収して臀部にくっついてくる。この場合、使用者は非常に不快で、さらには臀部に湿疹やかびが繁殖し得る環境が造成される。
【００２３】
これを防止するために、臀部が密着する後面生地１０は、図５に示されたように、水分や汗を吸収すると繊維全体の大部分が臀部の皮膚から分離する水分感応型繊維からなる。このような水分感応型繊維は、水分や汗を吸収すると繊維全体面積の約１０％のみ皮膚に残り、残りの９０％は皮膚から離れてスポーツ活動中のべたつきや纏わり付く問題を大幅に改善する効果を提供する。また、皮膚と離れた空間を介して外部の新鮮な空気の流入量が増加することができ、皮膚の呼吸性はもちろん繊維の乾燥速度も５０％以上早く進行することができる。また、汗が冷えれば変形した姿がまた原型に復元する可逆反応を永久的に維持する。このような水分感応型繊維は、大韓民国の株式会社暁星で販売しているものを使用する。
【００２４】
ベース生地４０は、左・右側の前面生地２０、３０間と後面生地１０の下端１０ａ間で第１縫裁ラインＬ１によって縫裁されるものであり、パンツの着用時に陰嚢及び陰茎によってふくらむように伸びる。
【００２５】
陰嚢位置固定部５０及び陰茎位置固定部６０をなす生地は、図１に示されたように分離しており、ベース生地４０の幅より広くて前方側にふくらんでいる。
【００２６】
陰嚢位置固定部５０は、ベース生地４０の表面でふくらんで飛び出す陰嚢Ｆ１部分を収納することにより位置を固定するためのものである。このために陰嚢位置固定部５０は、図６に示されたように、ベース生地４０の表面から分離しており、前方側にふくらんでいることによって全体的に袋形態を有する。この際、陰嚢位置固定部５０のふくらんでいる程度は、陰嚢Ｆ１の大きさによって異なるため、陰嚢が大きい人の場合はさらにふくらんでいるようにする。
【００２７】
一方、陰嚢位置固定部５０の両側の対向する位置それぞれには磁石５１が内蔵される一対の磁石内蔵部５２が形成される。前記した磁石５１は、活動している間に陰嚢Ｆ１に磁気力を印加して血液循環を促進させ、これによって生殖機能を活性化させる。
【００２８】
この際、磁石内蔵部５２それぞれは、磁石５１より直径が小さな入口５２ａと、入口５２ａより大きい直径を有することにより磁石５１が内蔵される収納部５２ｂを含む。これによって磁石５１を直径が小さな入口５２ａを介して収納部５２ｂに強制的にはめ込むようになれば磁石５１が抜けにくくなる。
【００２９】
前記した入口５２ａ及び収納部５２ｂを有する磁石内蔵部５２を有することにより、使用者は洗濯時に磁石５１を磁石内蔵部５２から分離することができ、必要に応じて大きい磁力の磁石に交換することができる。
【００３０】
陰茎位置固定部６０は、ベース生地４０の表面でふくらんで飛び出す陰茎Ｆ２部分を収納することにより位置を固定するためのものである。このために陰茎位置固定部６０は、図６に示されたように、ベース生地４０の表面から分離しており、前方側にふくらんでいることによって全体的に袋形態を有する。この際、陰茎位置固定部６０のふくらんでいる程度は、陰茎Ｆ２の大きさによって異なるため、陰茎が大きい人の場合はさらにふくらんでいるようにする。
【００３１】
一方、前記したベース生地４０の弾性は、陰嚢位置固定部５０及び陰茎位置固定部６０をなす生地の弾性より大きくなければならない。すなわち、ベース生地４０は、陰嚢位置固定部５０及び陰茎位置固定部６０をなす生地よりよく伸びなければならないのである。
【００３２】
なぜなら、陰嚢Ｆ１及び陰茎Ｆ２は、ベース生地４０からふくらんだ後、陰嚢位置固定部５０及び陰茎位置固定部６０に収納されるものであるからである。もし、ベース生地４０の弾性が陰嚢位置固定部５０及び陰茎位置固定部６０をなす生地の弾性より小さい場合、すなわちよく伸びない場合、ベース生地４０は陰嚢Ｆ１及び陰茎Ｆ２に対応する部分を突出させることができず、これに伴い陰嚢Ｆ１及び陰茎Ｆ２が陰嚢位置固定部５０及び陰茎位置固定部６０にしっかり収納されることができなくなる。
【００３３】
境界弾性バンド７０は、図１に示されたように、陰嚢位置固定部５０と陰茎位置固定部６０の間の境界に付着される。このような境界弾性バンド７０は、陰嚢位置固定部５０と陰茎位置固定部６０を連結すると同時にベース生地４０から分離している。
【００３４】
前記した境界弾性バンド７０は、陰嚢と陰茎との間の境界に密着して、陰嚢位置固定部５０と陰茎位置固定部６０を袋形態になるようにする。
【００３５】
ポイント縫裁端８０は、境界弾性バンド７０から２０ｍｍ内側の陰茎位置固定部６０をベース生地４０に縫裁する。このようなポイント縫裁端８０によって境界弾性バンド７０上部側の陰茎位置固定部６０をベース生地４０に連結することにより、ベース生地４０と陰茎位置固定部６０をなす二重の生地が陰茎を丹田側にあげて位置をしっかりと固定する。
【００３６】
一方、前記したベース生地４０は、湿気や汗によって発冷感を付与する発冷織物からなる。
【００３７】
ベース生地４０は、陰嚢及び陰茎に直接接触する所であるため、他の部位に比べて汗が多く出て湿気が多く染み込んでいる。このような汗や湿気は、ベース生地４０に吸収されて発冷感を陰嚢及び陰茎に提供することにより快適さを向上させる。
【００３８】
ベース生地４０は、綿からなるフィラメント糸を冷感組成物に浸染させた後に乾燥した冷感フィラメントを製織して具現された冷感繊維からなる。この際、冷感組成物はキシリトール（ｘｉｌｙｔｏｌｅ）と、エリトリトール（ｅｒｙｔｈｒｉｔｏｌ）と、ペパーミントオイルと、モノグリセリドと、有機バインダーと、残量の精製水を混合して具現される。
【００３９】
さらに詳しくは、冷感組成物は、キシリトール５０ないし６０重量部、さらに好ましくは５５重量部と、エリトリトール１０〜３０重量部、さらに好ましくは２０重量部と、ペパーミントオイル３０ないし４０重量部、さらに好ましくは３５重量部と、モノグリセリド４０〜５０重量部、さらに好ましくは４５重量部と、有機バインダー３０ないし１００重量部を混合して具現される。
【００４０】
キシリトール（ｘｉｌｙｔｏｌｅ）は、タマネギ、ホウレンソウ、イチゴ等の果実や野菜の中に多く含有されている糖アルコール（ｓｕｇａｒ  ａｌｃｏｈｏｌ）であり、人間の体内で作られる代謝中間物質である。商業的には樺の木やトウモロコシの穂軸から抽出したキシロースを生物工学的方法で発酵して生産したり、金属触媒による化学的方法によって得ることができる。キシリトールは、溶解しながら吸熱反応を起こし、強い清凉感（凉しい感じ）を与える。このようなキシリトールの含量が５０重量部未満であれば十分な清凉感効果を得ることができず、６０重量部を超過するとその他の構成成分との混和性が低下し、効率に比べ経済的な面で不利で好ましくない。
【００４１】
エリトリトール（ｅｒｙｔｈｒｉｔｏｌ）は、キシリトールと同じく糖アルコールの一種で、白ブドウの果実やその他きのこ類、ワイン、清酒、醤油、味噌等の発酵食品に含まれている天然の糖質である。エリトリトールは、溶解時の吸熱作用が高いため、冷たく爽快な冷凉感を付与して、前記したキシリトールとともに使用時に清凉感をさらに向上させることができる。このようなエリトリトールの含量が１０重量部以下のとき、キシリトールとの相互作用による十分な清凉感相乗効果及び皮膚保湿効果を得ることができず、３０重量部を超過すると効率に比べ経済的な面で不利で好ましくない。
【００４２】
ペパーミントオイルは、皮膚に接触時、凉しく爽快な感じを与える。このようなペパーミントオイルの含量が３０重量部未満で少なければ、期待しようとする効果の達成が難しくなり得るし、ペパーミントオイルの含量が４０重量部を超過して過多であると、液安定性を阻害し、経済性の側面で好ましくない傾向を示すようになるため、前記範囲を維持するのがよい。
【００４３】
モノグリセリドは、柔らかい使用感と保湿効果を付与し、皮膚を浄化させる役割をするだけでなく、界面活性作用が非常に優れた非イオン性界面活性剤であって、その他の構成成分を乳化、分散させ安定化させる役割をする。このようなモノグリセリドの含量は、混和性及び皮膚浄化作用等の特性発現面から４０ないし５０重量部であるのがよい。
【００４４】
有機バインダーは、キシリトール、エリトリトール及びペパーミントオイルが繊維または織物に固着するようにし、耐久性を付与する成分で、具体的にはシリコーン系樹脂、ウレタン系樹脂、アクリル系樹脂、ビニルアセテート系樹脂及びメラミン系樹脂の中から選択された一つまたは二つ以上の混合物を使用することができる。このような有機バインダーの含量が３０重量部未満であると有機酸等の成分の固着力がよくない傾向があり、有機バインダーの含量が１００重量部の範囲を超過して多いと、むしろ冷感効果を阻害する傾向があって好ましくない。
【００４５】
具体的には、有機バインダーとしてシリコーン樹脂を使用する場合、織物を柔らかくする役割を行い、キシリトール、エリトリトール、ペパーミントオイルの固着性を付与して、織物の生地に適用時によく固着するようにし、耐久性を付与するバインダーとしての役割を行う。前記シリコーン樹脂としては、親水性自己乳化型のシリコーン樹脂を使用するのがよく、このようなシリコーン樹脂の組成物中の含量は、４０ないし８０重量部の範囲で、好ましくは５０ないし６０重量部の範囲を使用するのがよい。
【００４６】
また有機バインダーとしてウレタン樹脂を使用する場合、キシリトール、エリトリトール、ペパーミントオイルが織物に永久固着するようにし織物の反発弾性（伸縮性）を向上させる役割を行う。このようなウレタン樹脂の組成物中の含量は、４０ないし５０重量部の範囲である。ウレタン樹脂の含量が４０重量部未満で少なければ、耐久性が低下する傾向があり、ウレタン樹脂の含量が５０重量部を超過して過多であると、液安定性を確保することができず繊維の柔らかさ性が低下して好ましくない。
【００４７】
前記したキシリトール、エリトリトール、ペパーミントオイル、モノグリセリド及び有機バインダーは、残量の精製水と混合して一液型の液状に形成され、このような冷感組成物は常温で１年以上保管時にも安定性を維持するものと示された。
【００４８】
前記した男性用機能性パンツを着用する場合、図８に示されたように、陰嚢Ｆ２はベース生地４０の下部側から突出して陰嚢位置固定部５０に収納され、陰茎Ｆ１はベース生地４０の上部側から突出して陰茎位置固定部６０に収納される。これによって、陰嚢Ｆ２と陰茎Ｆ１は相互分離されるだけでなく、股間の皮膚とも完全に分離される。これによって、陰嚢Ｆ２が、陰茎Ｆ１及び股の皮膚との接触によって汗が出て湿ること防止し、また通風性が向上して快適さを増進させることができる。
【００４９】
また臀部部分に対応する後面生地１０は、水分感応型繊維からなるため、椅子に座って業務を進行するに伴い汗が発生するとき、後面生地１０は汗を吸収しながら繊維全体の一部分が臀部の皮膚から分離する。これによって皮膚と離れた空間を介して外部の新鮮な空気の流入量が増加して皮膚呼吸性が高くなり、これによって快適さを増進させる。
【００５０】
そしてベース生地４０が冷感繊維からなるため、陰嚢Ｆ２または陰茎Ｆ１から汗が出るとき、ベース生地４０に吸収されて発冷感を発生し、このような発冷感は陰嚢Ｆ２及び陰茎Ｆ１に提供されることによりさらに快適さを向上させる。
【００５１】
本発明は図面に示された一実施例を参照に説明されたが、これは例示的なものに過ぎず、本技術分野の通常の知識を有する者であれば、これから多様な変形及び均等な他の実施例が可能であるという点を理解するであろう。
【図１】
2015531031.tif 000003
【図２】
2015531031.tif 000004
【図３】
2015531031.tif 000005
【図４】
2015531031.tif 000006
【図５】
2015531031.tif 000007
【図６】
2015531031.tif 000008
【図７】
2015531031.tif 000009
【国際調査報告】
2015531031.tif 000010
2015531031.tif 000011
2015531031.tif 000012
2015531031.tif 000013